(57)【要約】【課題】監視している箇所の印刷物全体における位置を、正確かつ容易に把握できる印刷監視装置等を提供することを目的とする。また、次の監視箇所への撮像装置の移動等を、迅速かつ正確に遂行できる印刷監視装置等を提供することを目的とする。【解決手段】連続走行する複数の単位印刷物を静止画として目視検査する印刷監視装置であって、単位印刷物の一部分の静止画を、単位印刷物の走行周期に対応して周期的に順次取得する撮像装置と、撮像装置が取得した複数の静止画を順次表示する映像モニターと、映像モニターに表示する映像の単位印刷物における位置をオペレータに通知する表示位置確認用モニターと、撮像装置が所望の静止画を取得するように撮像装置を位置制御するとともに、該位置を単位印刷物中における位置として表示位置確認用モニターに表示させる制御部とを備える印刷監視装置とする。【選択図】図１
2013123859.tif 000002
【特許請求の範囲】
【請求項１】
連続走行する複数の単位印刷物を静止画として目視検査する印刷監視装置であって、
前記単位印刷物の一部分の静止画を、前記単位印刷物の走行周期に対応して周期的に順次取得する撮像装置と、
前記撮像装置が取得した複数の静止画を順次表示する映像モニターと、
前記映像モニターに表示する映像の前記単位印刷物における位置をオペレータに通知する表示位置確認用モニターと、
前記撮像装置が所望の静止画を取得するように前記撮像装置を位置制御するとともに、該位置を前記単位印刷物中における位置として前記表示位置確認用モニターに表示させる制御部とを備える
ことを特徴とする印刷監視装置。
【請求項２】
請求項１に記載の印刷監視装置において、
前記撮像装置を前記単位印刷物の走行方向に垂直な方向に駆動するモータと、
前記単位印刷物の走行に対応して回転するギアの回転パルスを取得するパルスセンサと、を備え、
前記制御部は、
前記単位印刷物の走行方向に垂直な方向における、前記撮像装置が前記静止画を取得する位置を、前記モータの数値制御により制御し、
前記単位印刷物の走行方向における、前記撮像装置が前記静止画を取得する位置を、前記回転パルスに基づくパルス制御により制御する
ことを特徴とする印刷監視装置。
【請求項３】
請求項１または請求項２に記載の印刷監視装置において、
前記制御部は、静止画を取得するべき前記単位印刷物の複数の位置を予め記憶する記憶部を備える
ことを特徴とする印刷監視装置。
【請求項４】
請求項１乃至請求項３のいずれか一項に記載の印刷監視装置において、
前記表示位置確認用モニターは、複数のＬＥＤがドットマトリックス配列されたＬＥＤ発光パネルと、前記ＬＥＤ発光パネル上に配置された前記単位印刷物を備え、前記撮像装置が取得した静止画に対応する位置の前記ＬＥＤを点灯させて、単位印刷物全体における撮像位置を通知する
ことを特徴とする印刷監視装置。
【請求項５】
請求項１乃至請求項４のいずれか一項に記載の印刷監視装置を用いた印刷監視の方法において、
前記表示位置確認用モニターが通知する前記単位印刷物における位置と、前記映像モニターに表示する映像と、の位置合わせをする基準点合わせ工程と、
前記制御部が備える記憶部に、静止画を取得するべき前記単位印刷物の複数の位置を予め記憶させるプリセット工程と、
前記プリセット工程で記憶させた複数の位置のうち、少なくともいずれか一つの位置において前記撮像装置が静止画を取得して前記映像モニターに表示するとともに、前記表示位置確認用モニターが前記単位印刷物全体における前記静止画の位置をオペレータに通知する工程とを有する
ことを特徴とする印刷監視の方法。
【発明の詳細な説明】
【技術分野】
【０００１】
本発明は、印刷監視装置と印刷監視装置を用いた印刷監視の方法とに関する。
【背景技術】
【０００２】
下記特許文献１には、発生した見当ずれがどのような態様のものであり、どの程度の見当ずれが発生したのかを自動認識することを可能とする自動見当装置の発明に関して、印刷物に絵柄及び見当マークを印刷する複数の印刷ユニットと、印刷物における見当ずれの発生を検出する自動見当装置とを備える印刷機に設けられ、見当ずれに関する処理を行う自動見当装置が記載されている。
【０００３】
また、自動見当装置により見当ずれが検出された場合に、印刷物における見当ずれの発生箇所の見当マークを撮像する撮像装置と、撮像装置により撮像された画像を表示するモニター装置とを備えること、また、自動見当装置により見当ずれが検出された場合に、撮像装置を見当マークの撮像位置に移動させる移動機構を更に備えることが示されている。
【０００４】
また、下記特許文献２には、印刷物の検査を行う際における検査範囲の設定において、より正確に検査範囲の設定を行うことが可能な検査範囲設定装置及び方法等を提供することを目的とする発明であって、印刷物を撮像した撮像画像を取得する撮像画像取得手段と、撮像画像から、印刷物の少なくとも一以上の端部を示す端部画像情報を抽出し、端部画像情報に基づいて、印刷物の端部を拡大して表示画面に表示する表示手段と、表示された印刷物の端部を示す端部画像に基づいて、印刷物の検査範囲を決定する検査範囲決定手段とを備える検査範囲設定装置とすることにより、印刷物の検査範囲を設定する際に、印刷物の端部のみを拡大して表示するよう構成したので、検査範囲をより正確に設定することが可能になることが記載されている。
【先行技術文献】
【特許文献】
【０００５】
【特許文献１】特開２００８−１３７１９５号公報
【特許文献２】特開２００８−０９６３７２号公報
【発明の概要】
【発明が解決しようとする課題】
【０００６】
印刷の良否を目視検査する場合には、走行する複数の印刷物の各々に設けられた見当マーク等印刷物の所望の定位置を、順次静止画として取得し、目視検査が容易となる程度に拡大表示して、表示装置の画像を監視することとなる。
【０００７】
また、検査オペレータが監視する静止画は、単位印刷物中に表現された絵柄全体・模様全体との関係が認識できない程度に、すなわち目視検査画像だけからではどの部位の拡大画像であるのか認識できない程度に、大きく拡大され、検査オペレータは細部の印刷ズレ等を監視する。このため、検査オペレータは、現在監視している箇所が、単位印刷物全体のどの位置に該当するのか、監視する静止画のみからは把握することが従来は困難であった。
【０００８】
一方、印刷物の高品質化に伴い、印刷ずれ等の印刷不良をさらに厳しく監視するため、適宜場所を変えて単位印刷物中の複数の箇所を順次監視する必要性も高まってきている。
【０００９】
この場合に、検査オペレータが、前記単位印刷物全体中における現在の監視位置を正確に把握できていなければ、次の監視箇所の静止画を取得するためのカメラの移動等に手間取ることとなり多大な時間と労力とを要することとなる。また、その多大な時間においても印刷機が稼働継続し印刷不良が発生し続けることで、コスト増大や紙資源の無駄が生じることも懸念される。
【００１０】
本発明は、上述した問題点に鑑み為された発明であって、印刷物全体における目視検査している箇所の位置を、正確かつ容易に把握できる印刷監視装置等を提供することを目的とする。また、本発明はさらに好ましくは、次の目視検査箇所への撮像装置の移動等を、迅速かつ正確に遂行できる印刷監視装置等を提供することを目的とする。
【課題を解決するための手段】
【００１１】
本発明の印刷監視装置は、連続走行する複数の単位印刷物を静止画として目視検査する印刷監視装置であって、単位印刷物の一部分の静止画を、単位印刷物の走行周期に対応して周期的に順次取得する撮像装置と、撮像装置が取得した複数の静止画を順次表示する映像モニターと、映像モニターに表示する映像の単位印刷物における位置をオペレータに通知する表示位置確認用モニターと、撮像装置が所望の静止画を取得するように撮像装置を位置制御するとともに、該位置を単位印刷物中における位置として表示位置確認用モニターに表示させる制御部とを備える。
【００１２】
本発明の印刷監視装置は、好ましくは撮像装置を単位印刷物の走行方向（すなわち流れ方向）に垂直な方向（すなわち幅方向）に駆動するモータと、単位印刷物の走行に対応して回転するギアの回転パルスを取得するパルスセンサと、を備え、制御部は、単位印刷物の走行方向に垂直な方向における、撮像装置が静止画を取得する位置を、モータの数値制御により制御し、単位印刷物の走行方向における、撮像装置が静止画を取得する位置を、回転パルスに基づくパルス制御により制御することを特徴とする。
【００１３】
本発明の印刷監視装置は、さらに好ましくは制御部が、静止画を取得するべき単位印刷物の複数の位置を予め記憶する記憶部を備えることを特徴とする。
【００１４】
本発明の印刷監視装置は、さらに好ましくは表示位置確認用モニターが、複数のＬＥＤがドットマトリックス配列されたＬＥＤ発光パネルと、ＬＥＤ発光パネル上に配置された単位印刷物とを備え、撮像装置が取得した静止画に対応する位置のＬＥＤを点灯させて、単位印刷物全体における撮像位置を通知することを特徴とする。
【００１５】
本発明の印刷監視装置を用いた印刷監視の方法は、上述のいずれかに記載の印刷監視装置において、表示位置確認用モニターが通知する単位印刷物における位置と、映像モニターに表示する映像と、の位置合わせをする基準点合わせ工程と、制御部が備える記憶部に、静止画を取得するべき単位印刷物の複数の位置を予め記憶させるプリセット工程と、プリセット工程で記憶させた複数の位置のうち、少なくともいずれか一つの位置において撮像装置が静止画を取得して映像モニターに表示するとともに、表示位置確認用モニターが単位印刷物全体における静止画の位置をオペレータに通知する工程とを有することを特徴とする。
【図面の簡単な説明】
【００１６】
【図１】実施形態の印刷監視装置の構成概要を説明するブロック図である。
【図２】表示位置確認用モニターの一例を説明する概念図であり、（ａ）は、単位印刷物との関係について現在の検査位置を二次元でオペレータに通知する表示位置確認用モニター３００を説明する図であり、（ｂ）は、単位印刷物との関係について現在の検査位置を一次元のみでオペレータに通知する表示位置確認用モニターを説明する図である。
【図３】リモートコントローラーの典型例を説明する概念図である。
【発明を実施するための形態】
【００１７】
本実施形態の印刷監視装置は、印刷機で印刷されて高速で移動走行する単位印刷物の走行周期に同期して、繰り返し発光するフラッシュ光を単位印刷物に照射して、所望の一定箇所の静止画を順次取得する。また、フラッシュ光を印刷物に照射した反射光や透過光を撮像装置で静止画として順次取得し、映像モニターに順次表示された静止画を検査オペレータが目視検査して、印刷の良否や印刷品質を監視し判断する。
【００１８】
検査オペレータが細かな印刷ズレ等を発見し印刷品質を適正に評価するとともに、印刷機に評価結果をフィードバックして印刷条件を微修正・適正化するためには、インクが塗布された領域の辺縁部を拡大して目視監視する必要があり、このため見当マークを拡大表示して映像モニターに表示するものである。
【００１９】
また、さらに高品質の印刷が要求される場合等には、印刷品質を印刷物全体について検査し監視するため、単位印刷物の複数箇所について、印刷ズレ等の監視を順次遂行する必要がある。この場合には、一台の撮像装置が複数箇所の静止画を順次取得できるように、撮像装置を当該箇所に順次移動させる。
【００２０】
本実施形態の印刷監視装置は、単位印刷物全体のなかにおける現在の静止画取得位置、すなわち現在の映像モニター表示の該当位置を、表示位置確認用モニターに表示するので、複数箇所への撮像装置の移動がスムースかつ適格に迷うことなく遂行できる。
【００２１】
例えば、単位印刷物の右上角、右下隅、左下角、左上角の４箇所について各々見当マークを監視する場合に、映像モニターには、見当マークのみがほぼ画面全体に拡大されて表示されるので、当該画面からはいずれの位置の見当マークか不明である場合においても、表示位置確認用モニターにおいて現在監視している見当マークが、右上角、右下隅、左下角、左上角の４箇所のうちどの位置の見当マークであるのかを、単位印刷物上の点灯透過表示でオペレータに通知するので、検査オペレータは次の監視位置へ的確に撮像装置を移動させることができる。
【００２２】
また、本実施形態の印刷監視装置は、撮像装置が静止画を取得する位置と表示位置確認用モニターで通知する位置との初期の基準点合わせをした後、予め複数の監視箇所を記憶させておくことが可能である。監視箇所は、印刷物の走行方向のアドレスと幅方向のアドレスとで定まることから、監視箇所は、静止画を取得するギアのパルス数とモータによる撮像装置制御位置とで定まる。
【００２３】
これにより、現実の目視検査遂行中に、オペレータが他の検査位置に撮像装置を手動で移動させて位置合わせ操作をする必要がなくなり、例えばオペレータからのトリガを待って自動的に撮像装置が移動することとなるので、迅速かつ容易に複数箇所の目視検査が行えることとなる。
【００２４】
図１は、実施形態の印刷監視装置１０００の構成概要を説明するブロック図である。図１に示すように印刷監視装置１０００は、印刷機の回転ローラーの上を高速（例えば、〜４００ｍ／ｍｉｎ）で連続走行する単位印刷物の見当マーク等を撮像する撮像装置７００を備える。図１においては、印刷物は、紙面手前側から紙面奥に向けて走行するものとして示している。以下、印刷物の走行方向を適宜流れ方向と称し、走行方向に垂直な方向を適宜幅方向と称する。
【００２５】
また、印刷監視装置１０００は、フラッシュ光を短時間（例えば、数千分の１秒〜）照射可能なＬＥＤ光源７１０を備える。ＬＥＤ光源７１０は、単位印刷物の走行周期に同期して、一定周期で順次走行してくる単位印刷物を順次照射する。
【００２６】
また、印刷監視装置１０００の撮像装置７００は、ＬＥＤ光源７１０で照射された見当マーク等を短時間で順次撮像するので、単位印刷物の走行に拘わらず、各単位印刷物の各見当マーク画像等を静止画として順次取得できる。
【００２７】
また、印刷監視装置１０００は、撮像装置７００が取得した見当マーク等の静止画をオペレータが検査可能なように拡大して表示する映像モニター２００を備える。また、印刷監視装置１０００は、映像モニター２００に表示される静止画が、単位印刷物のどの箇所に該当するのかをオペレータに視認可能なように通知する表示位置確認用モニター３００を備える。
【００２８】
また、印刷監視装置１０００は、撮像装置７００を印刷物の走行方向に対し垂直な方向に移動させるモータ６００を備える。モータ６００は、パルスモータ等を用いてもよい。また、ワイヤーベルト等でモータ６００のモータ軸と係合された撮像装置７００が、印刷物の幅方向に設けられたガイドレール上を移動可能に構成してもよい。
【００２９】
また、印刷監視装置１０００は、モータ６００を制御するモータ制御回路５００と、印刷監視装置１０００全体を制御する制御部１００とを備える。また、印刷監視装置１０００は、印刷機の回転ローラーの回転軸に対応するギアから回転パルスを取得するパルスセンサ９００を備える。パルスセンサ９００は近接センサを用いることができる。
【００３０】
パルスセンサ９００で取得したパルスデータは、印刷物の走行速度に関するデータとして制御部１００に入力される。すなわち、単位印刷物は一定の速度で連続的にかつ一定の周期で繰り返し回転ローラーの上を通過していくので、パルスセンサ９００のデータを取得することで、取得したパルス数と単位印刷物周期との関係、及びパルス数と単位印刷物の走行方向の位置の把握が可能となる。これに基づいて、制御部１００が流れ方向における静止画取得タイミングを制御することで、流れ方向における任意箇所の検査画像を取得できることとなる。
【００３１】
また、撮像装置７００が撮像する単位印刷物の位置は、印刷物の走行方向に垂直な方向（紙面左右矢印方向）についてはモータ６００の駆動で位置決めし、印刷物の走行方向についてはパルスセンサ９００からの取得データに基づくパルスタイミングで決定される。すなわち、制御部１００は、パルスセンサ９００からの取得データに基づいて、所望の見当マーク等が撮像装置７００の下を通過するタイミングで、単位印刷物ごとに、ＬＥＤ光源７１０を瞬間的にフラッシュ発光させ、その反射光を撮像装置７００が静止画として取得する。
【００３２】
また、印刷監視装置１０００は、オペレータが映像モニター２００により検査ルーム等で目視検査する間に検査ルームと離間した印刷現場の撮像装置７００を遠隔操作で移動させる等のリモートコントロールが可能な、リモコンコントローラー４００を備える。リモコンコントローラー４００は、有線で構成してもよく無線で構成してもよく、スマートフォン等の携帯端末を用いてインターネット経由で遠隔操作可能な構成としてもよい。
【００３３】
また、印刷監視装置１０００は、単位印刷物の一または複数箇所を検査ポイントとして予め記憶可能な記憶部１１０を備える。検査オペレータは、撮像装置７００と表示位置確認用モニター３００との初期基準点合わせをした後、記憶部１１０に一または複数の検査ポイントを予め記憶させて、印刷監視装置１０００にプリセットすることができる。
【００３４】
ここで、制御部１００が遂行する静止画取得位置（すなわち検査箇所）のパルス制御について概要を説明する。図１において単位印刷物は紙面手前側から紙面奥側へと走行しており、これが流れ方向であることは既に述べた。流れ方向における検査箇所の位置制御は、回転ローラーのギアの凸部を検知してカウントするパルスセンサ９００に基づいて遂行される。
【００３５】
単位印刷物の流れ方向における長さと、回転ローラーの周囲長との対応関係により、単位印刷物あたりの回転ローラーの回転数が定まるので、単位印刷物あたりのギアの凸部の数が定まる。すなわち、ギアの凸部間たる１パルス間に単位印刷物が走行する距離が定まることとなる。従って、静止画を取得する流れ方向の位置を変える場合には、制御部１００が１パルス分を前進または後進させることにより、１パルス分に対応する走行距離分だけ位置をずらすことができる。
【００３６】
典型例として、ちょうど１００パルスで流れ方向長さが１ｍの単位印刷物１枚が、順次印刷されて回転ローラー上を順次連続走行しているものとする。この場合、制御部１００は、１００パルス毎に１回ＬＥＤ光源７１０をフラッシュ点灯させて、この時の静止画を取得することで、走行する各印刷物の同一箇所の検査画像を順次取得できる。また、現在検査画像を取得している例えば１０パルス目（すなわち単位印刷物の走行先頭から１０ｃｍの位置）の箇所から位置を変更し、１１パルス目（すなわち単位印刷物の走行先頭から１１ｃｍの位置）の箇所から検査画像を取得したい場合には、制御部１００は１パルス遅らせる処理を一回遂行し、その後１００パルス毎に検査画像を取得することで、当該箇所の検査画像を順次取得できることとなる。
【００３７】
なお、モータ６００を用いた幅方向のパルス制御についても、モータパルス数と撮像装置７００の幅方向移動距離との対応関係に基づいて検査画像取得位置を制御できるものであり、周知の技術であるのでここでは説明を省略する。
【００３８】
図２は、表示位置確認用モニター３００の一例を説明する概念図であり、図２（ａ）は、現在の検査位置と単位印刷物との位置関係（アドレス）について二次元でオペレータに通知する表示位置確認用モニター３００を説明する図である。図２（ａ）において、表示位置確認用モニター３００は、複数のＬＥＤ電球がドットマトリックス状に配置されたＬＥＤパネル上に単位印刷物が貼付されて構成される。
【００３９】
そして、撮像装置７００が撮像している現在の位置に対応するＬＥＤ電球を発光させて単位印刷物の背面から透過光によりオペレータに検査画像取得位置を点灯通知する。図２（ａ）から明らかなように、ＬＥＤパネルのＸ軸方向の位置とＹ軸方向の位置とは各々、撮像装置７００を駆動するモータ６００の位置制御とパルスセンサ９００の取得パルスに基づいたＬＥＤ光源７１０の点灯タイミングとのいずれか一方に排他的に対応する。すなわち、流れ方向がＸ軸方向であれば幅方向がＹ軸方向となり、流れ方向がＹ軸方向であれば幅方向がＸ軸方向となるのであって、これは現実の印刷状態に応じて適宜対応することができるものである。
【００４０】
また、図２（ａ）から理解できるように、ＬＥＤパネル上に単位印刷物を配置する位置関係によって、ＬＥＤ点灯箇所とそれに対応する単位印刷物の箇所との相対関係が異なる。このため、オペレータは、基準点合わせに際し、最初にＬＥＤパネル上に単位印刷物を固定して貼付する必要がある。
【００４１】
オペレータは、その後、撮像装置７００が現実に撮像して取得する静止画の位置が、表示位置確認用モニター３００に点灯通知される単位印刷物上の位置と合致するように、制御部１００に対して基準点合わせを遂行する。制御部１００は、モータ６００のパルス駆動幅方向位置制御とパルスセンサ９００のパルスデータによる流れ方向位置制御とを数値制御（ＮＣ制御）により遂行することが好ましい。
【００４２】
また、図２（ｂ）は、現在の検査位置と単位印刷物との関係について一次元のみでオペレータに通知する表示位置確認用モニターを説明する図である。図２（ｂ）においては、Ｘ軸方向のみの撮像位置をオペレータに通知できる。この場合に、図２（ｂ）におけるＸ軸方向の座標は、単位印刷物の走行方向がＸ軸方向である場合にはパルスセンサ９００のパルス数値と対応し、単位印刷物の走行方向がＹ軸方向である場合にはモータ６００のパルス駆動位置と対応する。なお、図２（ｂ）においては、ＬＥＤを用いた表示位置確認用モニターを説明したが、これに限定されることはなく、単位印刷物全体を表示するとともにその中の検査位置を検査位置マーカー等で通知する液晶表示装置等を用いてもよい。また、図２（ｂ）に示す例においては、単位印刷物を透過させた光を通知に用いないことから、ＬＥＤ光を透過しない厚手の印刷物であっても適切に対応可能である。
【００４３】
図３は、リモートコントローラー４００の典型例を説明する概念図である。図３に示すように、リモートコントローラー４００は、撮像装置７００で取得する静止画の明るさを調整する明るさ調整ボタン４３０とフォーカス（ピント）を調整するフォーカスボタン４４０とズーム拡大率を調整する大きさボタン４５０とを備える。
【００４４】
また、図３においては、リモートコントローラー４００は、印刷物の表側に配置される上カメラと印刷物の裏面側に配置される不図示の下カメラとを用いて反射光または透過光を切替取得する上カメラボタン４７０と下カメラボタン４８０とを備える。また、リモートコントローラー４００は、印刷監視装置１０００の電源をオン・オフする電源ボタン４９０を備える。また、印刷物によっては、裏面側から透過光を目視検査したほうがより的確な検査となる場合も生じ得る。
【００４５】
また、リモートコントローラー４００は、制御部１００で数値制御するモータ６００による撮像装置７００の移動位置やパルスセンサ９００に基づく撮像箇所に対応するパルス数等の制御状況をディジタル表示する液晶表示窓４１０を備える。また、リモートコントローラー４００は、六つの検査箇所を予め記憶できるように各検査箇所に対応した位置を記憶させ・読み出しさせるための六つのプリセットボタン４２０（ａ）〜４２０（ｆ）を備える。
【００４６】
例えば、プリセットボタン４２０（ａ）を押下すれば、プリセットボタン４２０（ａ）に対応づけして予め記憶された検査位置に、撮像装置７００及び流れ方向のフラッシュライト点灯タイミングを自動的に移動・変更させ、当該箇所の検査画像を自動取得し映像モニター２００に表示させることが可能である。この場合には、表示位置確認用モニター３００に表示される点灯通知箇所も、撮像装置７００の移動（幅方向）及びフラッシュライト点灯タイミング（流れ方向）に対応して、プリセットボタン４２０（ａ）に対応づけして予め記憶された検査位置へと移動する。
【００４７】
また、印刷監視装置１０００で使用するモータ６００は、パルスモータに限定されることはなく、単位印刷物の幅方向における撮像装置７００の位置をモータ駆動との関係で把握し制御できるモータであればよく、例えばＤＣモータ、ステッピングモータ等を用いてもよい。
【００４８】
また、回転ローラー端部のギアとその凸部からパルス取得するパルスセンサ９００とは、実施形態での説明に限定されることはなく、回転ローラーの回転状態を電気的に把握可能なデバイスであればよく、例えばエンコーダ等を用いてもよい。
【００４９】
また、印刷物は、複数の色を重ね塗り等するカラー印刷でもよく、いずれか一色の単色印刷でもよく、黒インクのみを用いる白黒印刷でもよい。また、印刷紙の種類も白色に限定されることはなく、印刷装置が対応可能な範囲において、任意の色、任意の厚さの印刷紙を用いることができる。但し、図２（ａ）で説明したように、印刷紙の背面からＬＥＤ光を透過させて位置を表示させる場合には、印刷紙は当該ＬＥＤ光が透過する程度の厚さであることが好ましい。
【００５０】
また、実施例においては、単位印刷物の裏面からＬＥＤを点灯させて、透過光により単位印刷物中の現在の検査箇所を検査オペレータに通知する場合について説明した。しかし、表示位置確認用モニター３００は、透過光による通知に限定されるものではなく、反射光により表示位置を通知するものであってもよい。例えば、単位印刷物がポスター等厚手の紙で作成されている場合などにおいては、透過光を用いるよりも反射光で通知するほうが、より的確かつ明確に通知できる場合がある。反射光を用いる場合には、単位印刷物とＬＥＤ光源との配置前後関係を入れ替えることで対応してもよい。
【００５１】
また、表示位置確認用モニター３００は、ＬＥＤドットマトリックス方式のモニターに限定されるものではなく、例えば、単位印刷物を貼付したモニター基板に対して対向配置されたレーザポインター等により、表示位置に対応する箇所を通知するように構成することもできる。レーザポインターからの光を含むレーザ光線を用いた表示は、改めて説明するまでもなく正確かつ極めて高速に移動制御させ得ることは周知であり、例えばレーザ光線のポイント光をスクリーン上で高速に移動制御させて任意の図形を線描写させることも可能であるほど正確制御が可能である。このような技術を用い、表示位置確認用モニター３００として、単位印刷物それ自体またはスクリーン等に投影表示された単位印刷物の映像等を用いて、スクリーン上等に現在の目視検査位置をレーザポインター等で投光通知してもよい。
【００５２】
上述の印刷監視装置１０００は、実施形態での説明に限定されるものではなく、本実施形態で説明する技術思想の範囲内かつ自明な範囲内で、適宜その構成や動作及び駆動方法等を変更することができる。
【産業上の利用可能性】
【００５３】
本発明の印刷監視装置は、印刷物を監視する監視システム等に広く適用できる。
【符号の説明】
【００５４】
１０００・・印刷監視装置、１００・・制御部、１１０・・記憶部、２００・・映像モニター、３００・・表示位置確認用モニター、４００・・リモートコントローラー、５００・・モータ制御回路、６００・・モータ、７００・・撮像装置、７１０・・ＬＥＤ光源、９００・・パルスセンサ。
【図１】
2013123859.tif 000003
【図２】
2013123859.tif 000004
【図３】
2013123859.tif 000005